【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
道路使用者（ＶＴ）の挙動の評価を改善するための交通管制方法であって、次のステップを有する方法：
ａ）複数の異なる交通手段（ＶＭ）を含む計算された複数の交通ルート案（ＶＲＶ）をルート作成ユニット（ＲＥ、２）により、照会中の道路使用者（ＶＴ）に伝達するステップ（Ｓ１）；
ｂ）前記伝達された複数の交通ルート案（ＶＲＺ）の中から、前記照会中の道路使用者（ＶＴ）が、１つの交通ルート（ＶＲ）を選択し、さらに、前記選択された交通ルート（ＶＲＡ）を前記ルート作成ユニット（ＲＥ、２）に伝達し、前記ルート作成ユニットが前記道路使用者（ＶＴ）に、道路使用者により選択された前記交通ルート（ＶＲ）の交通ルートデータ（ＶＲＤ）を提供する交通ルートの選択ステップ（Ｓ２）、この場合、前記交通ルート（ＶＲ；ＶＲＡ）に対して前記道路使用者（ＶＴ）が使用するための多種類の交通手段（ＶＳ１、ＶＳ２、ＶＳ３）が用意されている；
ｃ）前記道路使用者（ＶＴ）によりそのとき使用された交通手段（ＶＭ）を確認するために、前記道路使用者（ＶＴ）により採用された交通ルート（ＶＲ）に沿って前記道路使用者（ＶＴ）の位置データ（ＰＤ）を伝送するステップ（Ｓ３）；
ｄ）前記道路使用者（ＶＴ）の採用した交通ルート（ＶＲ）での道路使用者の挙動を、前記道路使用者（ＶＴ）により使用された交通手段（ＶＭ）に基づいて評価するステップ（Ｓ４）、この場合、前記道路使用者（ＶＴ）の挙動には少なくとも道路使用者が使用した交通手段（ＶＭ）の種類が含まれる。
【請求項２】
前記道路使用者（ＶＴ）からの交通ルート照会（ＲＡＮＦ）を受領後、多種交通手段包括型のルート作成ユニット、または、１つの交通手段に特化したルート作成ユニット（ＲＥ、２）により、複数の交通ルート案（ＶＲＶ）が計算される、請求項１に記載の方法。
【請求項３】
前記道路使用者（ＶＴ）が、自分の採用した交通ルート（ＶＲ）に沿って、場所が特定され観察された交通関連事象を交通管制センター（ＶＭＺ、５）、及び／又は、前記ルート作成ユニット（ＲＥ、２）に事象通報（ＥＭ）の形で伝達する、請求項１または２に記載の方法。
【請求項４】
前記ルート作成ユニット（ＲＥ、２）が道路使用者（ＶＴ）のための複数の交通ルート案（ＶＲＶ）を、多数の道路使用者（ＶＴ）から伝達された複数の交通関連事象に応じて計算する、請求項３に記載の方法。
【請求項５】
同一観察場所で様々な道路使用者（ＶＴ）から発せられる、通報された、場所が特定された複数の交通関連事象が、観察された交通関連事象を検証、及び／又は、特定するために、相互に比較される、請求項３または４に記載の方法。
【請求項６】
前記道路使用者（ＶＴ）の端末機器（８）から交通ルート照会を受領後、前記ルート作成ユニット（ＲＥ、２）が、ナビゲーションデータ及び／又は実際の交通データに基づいて、複数の交通ルート（ＶＲ）のための様々な交通ルート案（ＶＲＶ）を計算し、１つの交通ルート（ＶＲ）を選択するために、前記道路使用者（ＶＴ）の前記端末機器（８）にそれらを送信する、請求項１から５のいずれか１項に記載の方法。
【請求項７】
前記道路使用者（ＶＴ）の端末機器（８）から１つの交通ルート（ＶＲ）選択のための交通ルート選択通知（ＶＲＡ）を受領後、前記ルート作成ユニット（ＲＥ、２）が、これに応じて計算された、前記選択された交通ルート（ＶＲ）のための交通ルートデータ（ＶＲＤ）を前記道路使用者（ＶＴ）の端末機器（８）に伝送し、この交通ルートデータ（ＶＲＤ）が、前記選択された交通ルートを前記道路使用者（ＶＴ）のマップ上で視認できるように、前記端末機器（８）の表示ユニットに表示される、請求項６に記載の方法。
【請求項８】
前記道路使用者（ＶＴ）の端末機器（８）から、前記交通ルート選択通知（ＶＲＡ）がさらに評価ユニット（ＢＥ、３）に伝達され、この評価ユニットが、前記交通ルート（ＶＲ）に沿って使用された交通手段（ＶＭ）に基づいて、前記道路使用者（ＶＴ）の挙動を評価する、請求項７に記載の方法。
【請求項９】
前記評価ユニット（ＢＥ、３）が、前記道路使用者（ＶＴ）の挙動に対して、前記採用された交通ルート（ＶＲ）に沿って前記道路使用者（ＶＴ）の使用した交通手段（ＶＭ）のエミッション値に基づいて、前記道路使用者（ＶＴ）の挙動に対する交通挙動値（ＶＡＺ）を計算する、請求項８に記載の方法。
【請求項１０】
前記評価ユニット（ＢＥ、３）によって、エミッション値の低い交通手段（ＶＭ）の使用は、エミッション値の高い交通手段（ＶＭ）の使用よりも高く評価される、請求項９に記載の方法。
【請求項１１】
前記評価ユニット（ＢＥ、３）が、道路使用者（ＶＴ）の交通挙動の評価を、さらに、それぞれの道路使用者（ＶＴ）から前記ルート作成ユニット（ＲＥ、２）及び／又は交通管制センター（ＶＭＺ、５）に伝達された事象通報（ＥＭ）の量及び／又は質に応じて行なうべく設計されており、この場合、前記質は事象通報の詳細度を表す、請求項８から１０のいずれか１項に記載の方法。
【請求項１２】
前記評価ユニット（ＢＥ、３）が、受領した当該道路使用者（ＶＴ）の位置データ（ＰＤ）に基づいて、採用された交通ルート（ＶＲ）に沿ってこの道路使用者（ＶＴ）により使用された交通手段（ＶＭ）の確認を行う、請求項８から１１のいずれか１項に記載の方法。
【請求項１３】
１人の道路使用者（ＶＴ）または、複数の道路使用者（ＶＴ）から成る１グループ（ＶＴＧ）がその交通挙動を評価するために前記評価ユニット（ＢＥ、３）に登録する、請求項８から１２のいずれか１項に記載の方法。
【請求項１４】
１人の道路使用者（ＶＴ）または、複数の道路使用者から成る１グループ（ＶＴＧ）が加入者シンボルとして、それぞれの道路使用者（ＶＴ）の１つまたは多数のモバイル端末機器（８）の表示ユニット上に、前記交通ルート（ＶＲ）に沿った実際の位置で表示される、請求項１から１３のいずれか１項に記載の方法。
【請求項１５】
前記評価ユニット（ＢＥ、３）が、前記表示された加入者シンボルを当該道路使用者（ＶＴ）の評価された挙動に応じて動的に変更する、請求項１４に記載の方法。
【請求項１６】
前記評価ユニット（ＢＥ、３）が、前記道路使用者（ＶＴ）の評価された挙動に基づき、当該道路使用者（ＶＴ）もしくは、複数の道路使用者から成る１グループを直接的に報奨する、または、当該道路使用者（ＶＴ）もしくは、複数の道路使用者から成る１グループ（ＶＴＧ）の評価された挙動に基づき、当該道路使用者（ＶＴ）が推奨により間接的に報奨されるようにする、請求項１から１５のいずれか１項に記載の方法。
【請求項１７】
道路使用者（ＶＴ）の挙動の評価を改善するための交通管制システム（１）であって、この交通管制システムが、
ａ）ルート作成ユニット（ＲＥ、２）にルート照会（ＲＡＮＦ）を伝送する道路使用者（ＶＴ）のモバイル端末機器（８）を備えており、
ｂ）前記ルート作成ユニット（ＲＥ、２）が、受領したルート照会（ＲＡＮＦ）それぞれに対して複数の異なる交通手段（ＶＭ）を含む複数の交通ルート案（ＶＲＶ）を計算し、照会中の道路使用者（ＶＴ）に伝達し、
ｃ）前記道路使用者（ＶＴ）が１つの交通ルート（ＶＲ）を選択し、その交通ルートデータ（ＶＲＤ）が前記ルート作成ユニット（ＲＥ、２）により前記道路使用者（ＶＴ）に伝送され、この場合、前記交通ルート（ＶＲ；ＶＲＡ）に対して前記道路使用者（ＶＴ）が使用するための多種類の交通手段（ＶＳ１、ＶＳ２、ＶＳ３）が用意されており、
ｄ）当該道路使用者（ＶＴ）が採用した交通ルート（ＶＲ）で道路使用者により使用された交通手段（ＶＭ）を確認するために、前記ルート作成ユニット（ＲＥ、２）が、当該道路使用者（ＶＴ）により採用された交通ルート（ＶＲ）に沿ってその道路使用者（ＶＴ）の位置データ（ＰＤ）を分析し、当該道路使用者（ＶＴ）により使用された交通手段（ＶＭ）に基づいて当該道路使用者（ＶＴ）の挙動が評価され、この場合、前記道路使用者（ＶＴ）の挙動には少なくとも道路使用者が使用した交通手段（ＶＭ）の種類が含まれる、交通管制システム。
【請求項１８】
前記交通管制システム（１）の評価ユニット（ＢＥ、３）が、当該道路使用者（ＶＴ）により使用された交通手段（ＶＭ）の環境に対する優しさ、及び、当該道路使用者（ＶＴ）から発せられた場所が特定された事象通報（ＥＭ）の量及び／又は質、に応じて当該道路使用者（ＶＴ）の挙動を評価すべく設計されており、この場合、前記質は事象通報の詳細度を表す、請求項１７に記載の交通管制システム。
【請求項１９】
前記評価ユニット（ＢＥ、３）により評価された多数の道路使用者（ＶＴ）の挙動に応じて、複数の交通制御手段及び／又は複数の交通手段（ＶＭ）を制御すべく設計された制御ユニットを備えた、請求項１８に記載の交通管制システム。
【請求項２０】
前記道路使用者（ＶＴ）の挙動には、道路使用者から提供された事象通報（ＥＭ）の量及び質も含まれる、請求項１に記載の方法。
【請求項２１】
前記道路使用者（ＶＴ）の挙動には、道路使用者から提供された事象通報（ＥＭ）の量及び質も含まれる、請求項１８に記載の交通管制システム。